(57)【要約】【課題】軸上の任意の位置に迅速に且つ簡易に固定可能な締結具を提供する。【解決手段】締結具１は、軸３の外周面を両側方から挟み込む中央孔１５を形成可能な一対の第１、第２締付半体１ａ，１ｂと、前記第１締付半体１ａに形成されたボルト貫通孔１２に挿通し且つ前記第２締付半体１ｂに形成されたネジ孔１３に螺合させる締結ボルト２とを有し、前記第１締付半体１ａには、一端に前記ボルト貫通孔１２が開放する第１対向面２１が形成され、他端に第１係合部３１が形成されており、前記第２締付半体１ｂには、一端に前記ネジ孔１３が開放し且つ前記第１対向面２１に対向する第２対向面２２が形成され、他端に前記第１係合部３１に着脱自在に係合する第２係合部４１が形成されており、前記第１、第２係合部３１，４１を係合させた状態で前記締結ボルト２を締め付けることにより前記中央孔１５を縮径させる構成としたものである。【選択図】図１
2011007312.tif 000002
【特許請求の範囲】
【請求項１】
軸の外周面を両側方から挟み込む中央孔を形成可能な一対の第１、第２締付半体と、前記第１締付半体に形成されたボルト貫通孔に挿通し且つ前記第２締付半体に形成されたネジ孔に螺合させる締結ボルトとを有し、
前記第１締付半体には、一端に前記ボルト貫通孔が開放する第１対向面が形成され、他端に第１係合部が形成されており、
前記第２締付半体には、一端に前記ネジ孔が開放し且つ前記第１対向面に対向する第２対向面が形成され、他端に前記第１係合部に着脱自在に係合する第２係合部が形成されており、
前記第１、第２係合部を係合させた状態で前記締結ボルトを締め付けることにより前記中央孔を縮径させる構成とした締結具。
【請求項２】
請求項１に記載の締結具において、
前記第１締付半体の前記他端近傍に外側に切り欠く外側切欠部が形成されると共に前記第１係合部となる外向き係合突起が形成され、
前記第２締付半体の前記他端近傍に内側に切り欠く内側切欠部が形成されると共に前記第２係合部となる内向き係合突起が形成され、
前記第１締付半体の外側切欠部に前記第２締付半体の内向き係合突起を配置させると同時に前記第２締付半体の内側切欠部に前記第１締付半体の外向き係合突起を配置させて、前記外向き係合突起と前記内向き係合突起とを係合させる構成とした締結具。
【請求項３】
請求項１又は２に記載の締結具において、
前記第１、第２締付半体の軸方向側の少なくとも一方の端面にベアリング押さえ等となる突片が形成されている締結具。
【発明の詳細な説明】
【技術分野】
【０００１】
本発明は、軸に外嵌固定させて軸継手やカラーとして使用される締結具に関する。
【背景技術】
【０００２】
この種の締結具として、図６に示す締結具５０１Ａのように、一対の締付半体５０１ａ，５０１ｂからなり、一方の締付半体５０１ａの２箇所のボルト孔５１２，５１２に締結ボルト５０２，５０２を通して他方の締付半体５０１ｂの２箇所のネジ孔５１３，５１３に螺合させて締め付けることで、中央孔５１５に軸５０３を固定させるものがある。
【０００３】
また、図７に示すように、他の締結具５０１Ｂとして、すり割り溝５１０を設けた筒状体５００からなり、すり割り溝５１０に対向する一側に設けたボルト孔５１２Ｂに締結ボルト５０２Ｂを通して他側のネジ孔５１３Ｂに螺合させて締め付けることで、中央孔５１５Ｂに軸５０３を固定させるものがある。
【先行技術文献】
【特許文献】
【０００４】
【特許文献１】実開昭６３−５１９３１号公報
【特許文献２】特開２００４−１４４２３５号公報
【発明の概要】
【発明が解決しようとする課題】
【０００５】
図６に示す従来の締結具５０１Ａは、分割可能な一対の締付半体５０１ａ，５０１ｂからなるので軸５０３の所定位置に直接設置できるが、２本の締結ボルト５０２，５０２の締め付けに時間を要し、且つ各々の締結ボルト５０２，５０２を均等に締付けるのが面倒である。そのため、軸５０３への固定作業を迅速に且つ確実に行うのは困難であった。
【０００６】
また、図７に示す締結具５０１Ｂは、筒状体５００を軸５０３の所定位置に外嵌させるには、軸５０３の端部から筒状体５００を挿通させて所定位置まで移動させる必要がある。そのため、軸５０３に何らかの部材が既に取り付けられていると、これを取り外してから筒状体５００を軸５０３に挿通させる必要がある。従って、このものも軸５０３への固定作業を迅速に行うのが困難であった。
【０００７】
本発明は、上記事情に鑑みてなされたものであり、軸上の任意の位置に迅速に且つ簡易に固定可能な締結具を提供することを課題とする。
【課題を解決するための手段】
【０００８】
本発明に係る締結具は、
軸の外周面を両側方から挟み込む中央孔を形成可能な一対の第１、第２締付半体と、前記第１締付半体に形成されたボルト貫通孔に挿通し且つ前記第２締付半体に形成されたネジ孔に螺合させる締結ボルトとを有し、
前記第１締付半体には、一端に前記ボルト貫通孔が開放する第１対向面が形成され、他端に第１係合部が形成されており、
前記第２締付半体には、一端に前記ネジ孔が開放し且つ前記第１対向面に対向する第２対向面が形成され、他端に前記第１係合部に着脱自在に係合する第２係合部が形成されており、
前記第１、第２係合部を係合させた状態で前記締結ボルトを締め付けることにより前記中央孔を縮径させる構成としたものである。
【０００９】
上記構成によれば、一対の第１、第２締付半体をばらした状態にできるので、軸に既に各種部材が取り付けられているか否かにかかわらず、一対の第１、第２締付半体を軸上の任意の位置に配置させることができる。そして、前記第１、第２係合部を係合させた状態で前記締結ボルトを締め付けることにより前記中央孔が縮径し、第１、第２締付半体が軸の外周面に固定される。
【００１０】
前記締結具において、
前記第１締付半体の前記他端近傍に外側に切り欠く外側切欠部が形成されると共に前記第１係合部となる外向き係合突起が形成され、
前記第２締付半体の前記他端近傍に内側に切り欠く内側切欠部が形成されると共に前記第２係合部となる内向き係合突起が形成され、
前記第１締付半体の外側切欠部に前記第２締付半体の内向き係合突起を配置させると同時に前記第２締付半体の内側切欠部に前記第１締付半体の外向き係合突起を配置させて、前記外向き係合突起と前記内向き係合突起とを係合させる構成とするのが望ましい。
【００１１】
これによれば、締結ボルトを締付けると、外向き係合突起と内向き係合突起とは周方向に互いに引っ張り合う力が作用する。従って、外向き係合突起と内向き係合突起が一層強固に係合され、軸への締結力を十分に確保することができる。よって、軸に固定状態にある第１、第２締付半体が不用意に外れたり軸の固定が緩んだりすることもない。
【００１２】
また、前記第１締付半体の外側切欠部に前記第２締付半体の内向き係合突起（第２係合部）を配置させると同時に前記第２締付半体の内側切欠部に前記第１締付半体の外向き係合突起（第１係合部）を配置させることにより、外周部に突出させることなく前記第１、第２係合部を形成することができる。
【００１３】
前記締結具において、
前記第１、第２締付半体の軸方向側の少なくとも一方の端面にベアリング押さえ等となる突片が形成されてもよい。
これによれば、例えば、軸に取り付けたベアリングローラにベアリング押さえ等となる突片を当接させることにより、ベアリングローラの回転に支障なく軸上の所定位置に前記締結具を保持させることができる。
【発明の効果】
【００１４】
以上のように、本発明に係る締結具によれば、軸に既に各種部材が取り付けられているか否かにかかわらず、軸上の任意の位置に迅速に且つ簡易に固定させることができる。従って、使い勝手の良い締結具を提供することができる。
【図面の簡単な説明】
【００１５】
【図１】本発明の実施の形態による締結具を示す一部切欠側面図である。
【図２】図１の平面図である。
【図３】本発明の実施の形態による締結具を軸に取り付ける様子を示す説明図である。
【図４】締結具の他の例を示す断面図である。
【図５】締結具の他の例を示す平面図である。
【図６】従来の締結具の構成を示す断面図である。
【図７】従来の他の締結具の構成を示す断面図である。
【発明を実施するための形態】
【００１６】
以下に、本発明の実施の形態を説明する。
図１〜図３に示すように、実施形態による締結具１は、軸３の外周面を両側方から挟み込む中央孔１５を形成可能な略半円形状の一対の第１、第２締付半体１ａ，１ｂと、軸３に外嵌させた第１、第２締付半体１ａ，１ｂを締め付ける１本の締結ボルト２とから構成される。第１締付半体１ａと第２締付半体１ｂとは分解可能となっている（図３参照）。
【００１７】
第１締付半体１ａは、その一端には外周面側に開放し且つ締結ボルト２の頭部２０が収容可能な凹部１１が形成され、この凹部１１に連通して締結ボルト２を挿通するボルト貫通孔１２が形成されている。ボルト貫通孔１２は、第１締付半体１ａの一端である第１対向面２１に開放されている。第１締付半体１ａは、その他端には外向きに突出する外向き係合突起（第１係合部）３１が形成され、他端近傍の外周面を軸線方向に切り欠く外側切欠部３０が形成されている。
【００１８】
第２締付半体１ｂは、その一端には締結ボルト２のネジ軸２３が螺合するネジ孔１３が形成されている。ネジ孔１３は、第２締付半体１ｂの一端である第２対向面２２に開放されている。第２対向面２２は、第１締付半体１ａの第１対向面２１に対向している。第２締付半体１ｂは、その他端には内向きに突出する内向き係合突起（第２係合部）４１が形成され、他端近傍の内周面を軸線方向に切り欠く内側切欠部４０が形成されている。
【００１９】
前記第１締付半体１ａの外向き係合突起３１と前記第２締付半体１ｂの内向き係合突起４１は、外側切欠部３０に内向き係合突起４１を配置させると同時に内側切欠部４０に外向き係合突起３１を配置させて係合される。外向き係合突起３１と内向き係合突起４１を係合させて第１、第２対向面２１，２２を近接させると、第１、第２締付半体１ａ，１ｂの内周部に軸３の外径と略一致する直径の中央孔１５が形成される。
【００２０】
締結ボルト２は、凹部１１内に収容可能な大きさの頭部２０と、ボルト貫通孔１２に挿通し且つネジ孔１３に螺合可能なネジ軸２３とからなる。外向き係合突起３１と内向き係合突起４１を係合させ、締結ボルト２のネジ軸２３を第１締付半体１ａのボルト貫通孔１２に挿通させると共にネジ軸２３を第２締付半体１ｂのネジ孔１３に螺合させると、ばらした状態の第１、第２締付半体１ａ，１ｂが組み付けられる。
【００２１】
以上の構成の締結具１の軸３への取り付けは、まず、軸３の外周面上の固定させる箇所に第１、第２締付半体１ａ，１ｂを配置させ、第１締付半体１ａの外向き係合突起３１と第２締付半体１ｂの内向き係合突起４１とを係合させる（図３参照）。次いで、締結ボルト２のネジ軸２３を第１締付半体１ａのボルト貫通孔１２に挿通させて第２締付半体１ｂのネジ孔１３に螺合させる。すると、凹部１１の座面１４が締結ボルト２の頭部２０で押されることにより、軸３を外嵌する中央孔１５の内径が縮径する。この中央孔１５の縮径によって第１、第２締付半体１ａ，１ｂは軸３の外周面にそれぞれ強固に圧接し、十分な締結力で確実に固定される。
【００２２】
また、締結ボルト２の締付けによって、外向き係合突起３１と内向き係合突起４１の間には周方向に互いに引っ張り合う力が作用する。従って、外向き係合突起３１及び内向き係合突起４１の係合力が一層強くなり、第１、第２締付半体１ａ，１ｂが強固に結合される。よって、締結具１の使用中に第１、第２締付半体１ａ，１ｂが軸３から不用意に外れたり、軸３の固定が緩んでずれたりする不都合はない。
【００２３】
また、外向き係合突起３１及び内向き係合突起４１を係合させた状態において、外向き係合突起３１は内側切欠部４０に、内向き係合突起４１は外側切欠部３０にそれぞれ嵌まり込む態様となるから、外向き係合突起３１や内向き係合突起４１が外周部に突出し障害となることはない。
【００２４】
以上のように、実施の形態の締結具１によれば、分離自在な第１、第２締付半体１ａ，１ｂから構成されるから、軸３に既に各種部材が取り付けられているか否かにかかわらず、第１、第２締付半体１ａ，１ｂを軸３の側方から軸３を挟み込むと共に１本の締結ボルト２を締め付けるだけで、任意の位置に締結具１を固定することができる。従って、軸３上の任意の位置に迅速に且つ簡易に固定させることができる。よって、使い勝手が良く且つ固定作業の容易なカラーとしての締結具１を提供することができる。
【００２５】
また、図４に示すように、締結具１Ａを所定長さに設定し、複数の締結ボルト２で締め付ける構成とすれば、２本の軸３ａ，３ｂを連結させる軸継手として利用することができる。
【００２６】
また、図５に示すように、締結具１Ｂとして、第１、第２締付半体１ａ，１ｂの軸方向側の一方の端面１０ａ，１０ｂにベアリング押さえとなる突片１６ａ，１６ｂを形成することもできる。突片１６ａ，１６ｂは、第１、第２締付半体１ａ，１ｂの各々の同一面において中央孔１５に沿って形成され、軸３に取り付けられるベアリングローラの内輪５１に当接される。これにより、ベアリングローラの回転に支障なく軸３上の所定位置に締結具１Ｂを保持させることができる。尚、突片１６ａ，１６ｂは、第１、第２締付半体１ａ，１ｂの軸方向側の両端面に形成されてもよい。
【００２７】
尚、外向き係合突起３１と内向き係合突起４１は、それぞれ第１、第２締付半体１ａ，１ｂのどちらに設けてもよい。
【符号の説明】
【００２８】
１，１Ａ，１Ｂ  締結具
１ａ  第１締付半体
１ｂ  第２締付半体
２  締結ボルト
３  軸
１０ａ，１０ｂ  端面
１２  ボルト貫通孔
１３  ネジ孔
１５  中央孔
１６ａ，１６ｂ  突片
２１  第１対向面
２２  第２対向面
３０  外側切欠部
３１  外向き係合突起（第１係合部）
４０  内側切欠部
４１  内向き係合突起（第２係合部）
【図１】
2011007312.tif 000003
【図２】
2011007312.tif 000004
【図３】
2011007312.tif 000005
【図４】
2011007312.tif 000006
【図５】
2011007312.tif 000007
【図６】
2011007312.tif 000008
【図７】
2011007312.tif 000009